(57)【要約】【課題】原稿載置面に載置された原稿から読み取られる画像の品質を向上可能な画像読取装置を提供すること。【解決手段】画像形成装置１０は、原稿載置面に載置される原稿の画像を読み取る画像読取部と、前記原稿載置面に対して開閉可能に設けられたカバー部材１と、カバー部材１の前記原稿載置面との対向面１１Ａに突設された固定部１３と、固定部１３の突出端に角部が固定され、カバー部材１が閉姿勢の場合に前記原稿載置面に載置される原稿と接触するシート状の弾性部材と、対向面１１Ａにおける固定部１３で囲まれた領域Ｘ１内で突設され、カバー部材１が閉姿勢の場合に突出端が前記弾性部材の固定部１３との接触面に接触する複数の突起部１４と、を備える。【選択図】図３
2017034393.tif 000002
【特許請求の範囲】
【請求項１】
原稿載置面に載置される原稿の画像を読み取る画像読取部と、
前記原稿載置面に対して開閉可能に設けられたカバー部材と、
前記カバー部材の前記原稿載置面との対向面に突設された固定部と、
前記固定部の突出端に角部が固定され、前記カバー部材が閉姿勢の場合に前記原稿載置面に載置される原稿と接触するシート状の弾性部材と、
前記対向面における前記固定部で囲まれた領域内で突設され、前記カバー部材が閉姿勢の場合に突出端が前記弾性部材の前記固定部との接触面に接触する複数の突起部と、
を備える画像読取装置。
【請求項２】
前記突起部の突出方向の長さは、前記カバー部材が前記閉姿勢の場合における前記対向面と前記原稿載置面との間の離間距離から前記対向面と前記原稿載置面との間に介在する前記弾性部材の厚みを差し引いた長さを超えている請求項１に記載の画像読取装置。
【請求項３】
前記弾性部材は、前記接触面が前記対向面に向けて湾曲しており、
前記突起部は、前記対向面における前記接触面との間の距離が予め定められた閾値以下の領域内に設けられている請求項１又は２に記載の画像読取装置。
【請求項４】
前記対向面は、前記閉姿勢の場合に前記原稿載置面と平行な基準面に対して起伏しており、
複数の前記突起部各々における突出方向の長さは、各々の突出端を含む平面が前記基準面と平行となるように定められている請求項１〜３のいずれかに記載の画像読取装置。
【請求項５】
前記突起部の突出方向の長さは、前記固定部の突出方向における長さを超えている請求項１〜３のいずれかに記載の画像読取装置。
【請求項６】
前記突起部は、前記対向面において前記カバー部材が前記閉姿勢の場合に前記原稿載置面に載置される予め定められたサイズの原稿と対向する特定領域内では予め定められた第１密度で配置され、前記特定領域外では前記第１密度より低い第２密度で配置されている請求項１又は２に記載の画像読取装置。
【請求項７】
前記突起部は、前記対向面において前記カバー部材が前記閉姿勢の場合に前記原稿載置面に載置される予め定められたサイズの原稿と対向する特定領域内では予め定められた第１距離だけ突出して配置され、前記特定領域外では前記第１距離より短い第２距離だけ突出して配置されている請求項１又は２に記載の画像読取装置。
【請求項８】
前記画像読取部は、密着型イメージセンサーを有する請求項１〜７のいずれかに記載の画像読取装置。
【発明の詳細な説明】
【技術分野】
【０００１】
本発明は、原稿載置面を有する画像読取装置に関する。
【背景技術】
【０００２】
一般に、原稿載置面に載置される原稿の画像を読み取る画像読取装置が知られている（例えば、特許文献１参照）。この種の画像読取装置では、原稿載置面に対して開閉可能に設けられたカバー部材が閉じられて、原稿の画像が読み取られる。前記カバー部材は、シート状の弾性部材を備える。前記カバー部材が原稿載置面に対して閉じられると、原稿載置面に載置された原稿が前記弾性部材によって押圧されて、原稿載置面に密着される。
【先行技術文献】
【特許文献】
【０００３】
【特許文献１】特開平１０−２８５３５３号公報
【発明の概要】
【発明が解決しようとする課題】
【０００４】
ところで、上述の画像読取装置では、カバー部材に設けられる弾性部材が反りを有することがある。例えば、ロール状のスポンジシートがカットされて前記弾性部材が形成される場合には、前記弾性部材は反りを有することがある。前記弾性部材が反りを有する場合には、前記弾性部材により押圧される原稿において原稿載置面に密着されない箇所が生じ、前記箇所で原稿が原稿載置面から浮き上がって読取画像が不鮮明となることがある。
【０００５】
本発明の目的は、原稿載置面に載置された原稿から読み取られる画像の品質を向上可能な画像読取装置を提供することにある。
【課題を解決するための手段】
【０００６】
本発明に係る画像読取装置は、画像読取部と、カバー部材と、固定部と、弾性部材と、複数の突起部とを備える。前記画像読取部は、原稿載置面に載置される原稿の画像を読み取る。前記カバー部材は、前記原稿載置面に対して開閉可能に設けられる。前記固定部は、前記カバー部材の前記原稿載置面との対向面に突設される。前記弾性部材は、前記固定部の突出端に角部が固定され、前記カバー部材が閉姿勢の場合に前記原稿載置面に載置される原稿と接触するシート状の部材である。複数の前記突起部は、前記対向面における前記固定部で囲まれた領域内で突設され、前記カバー部材が閉姿勢の場合に突出端が前記弾性部材の前記固定部との接触面に接触する。
【発明の効果】
【０００７】
本発明によれば、原稿載置面に載置された原稿から読み取られる画像の品質を向上させることが可能である。
【図面の簡単な説明】
【０００８】
【図１】図１は、本発明の第１実施形態に係る画像形成装置の構成を示す図である。
【図２】図２は、本発明の第１実施形態に係る画像形成装置のカバー部材及び画像読取部の構成を示す図である。
【図３】図３は、本発明の第１実施形態に係る画像形成装置のカバー部材の構成を示す図である。
【図４】図４は、本発明の第１実施形態に係る画像形成装置のカバー部材の構成を示す図である。
【図５】図５は、本発明の第１実施形態に係る画像形成装置のカバー部材の変形例を示す図である。
【図６】図６は、本発明の第２実施形態に係る画像形成装置のカバー部材の構成を示す図である。
【図７】図７は、本発明の第２実施形態に係る画像形成装置の突起部の変形例を示す図である。
【発明を実施するための形態】
【０００９】
以下、添付図面を参照しながら、本発明の実施形態について説明し、本発明の理解に供する。なお、以下の実施形態は、本発明を具体化した一例であって、本発明の技術的範囲を限定するものではない。
【００１０】
［第１実施形態］
まず、図１及び図２を参照しつつ、本発明の第１実施形態に係る画像形成装置１０の概略構成について説明する。ここで、図１は画像形成装置１０の構成を示す断面模式図である。また、図２は、カバー部材１と画像読取部２の構成を示す斜視図である。なお、図２では、カバー部材１が画像読取部２から取り外された状態の図が示されている。
【００１１】
画像形成装置１０は、原稿から画像データを読み取るスキャン機能、及び画像データに基づいて画像を形成するプリント機能と共に、ファクシミリ機能、又はコピー機能などの複数の機能を有する複合機である。
【００１２】
具体的に、画像形成装置１０は、図１及び図２に示すように、カバー部材１、画像読取部２、画像形成部３、給紙部４、及び操作表示部５を備える。ここに、カバー部材１、及び画像読取部２を備える装置が、本発明における画像読取装置の一例である。なお、本発明は、スキャナー装置、ファクシミリ装置、及びコピー機などの画像読取装置に適用可能である。
【００１３】
画像形成部３は、画像読取部２で読み取られた画像データ又は外部のパーソナルコンピューター等の情報処理装置から入力された画像データに基づいて、電子写真方式で画像を形成可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３では、給紙部４から供給されるシートに画像が形成されて、画像形成後の前記シートが前記排紙トレイに排出される。なお、前記シートは、紙、コート紙、ハガキ、封筒、及びＯＨＰシートなどのシート材料である。
【００１４】
操作表示部５は、不図示の制御部からの制御指示に応じて各種の情報を表示する液晶ディスプレーなどの表示部、及びユーザーの操作に応じて前記制御部に各種の情報を入力する操作キー又はタッチパネルなどの操作部を有する。
【００１５】
画像読取部２は、原稿から画像データを読み取ることが可能である。具体的に、画像読取部２は、図１及び図２に示すように、フレーム２１、コンタクトガラス２２、及び読取ユニット２３を備える。
【００１６】
フレーム２１は、画像読取部２の構成部材を収納する。フレーム２１の上部には、透光性を有するコンタクトガラス２２が設けられている。コンタクトガラス２２の上面（原稿載置面２２Ａ）には、画像データが読み取られる原稿が載置基準位置２２Ｂに合わせて載置される。フレーム２１の上部後端には、開口部２１１が設けられている。開口部２１１には、カバー部材１を原稿載置面２２Ａに対して開閉可能に支持するヒンジが設けられる。
【００１７】
読取ユニット２３は、コンタクトガラス２２の下側に設けられ、ステッピングモーターなどの駆動手段を用いた不図示の移動機構により、副走査方向（図１における左右方向）に移動可能である。読取ユニット２３は、図１に示すように、撮像部２３１を備える。
【００１８】
撮像部２３１は、発光部及び受光部を備える密着型イメージセンサー（ＣＩＳ）である。前記発光部は、原稿載置面２２Ａに載置された原稿に向けて光を照射する。読取ユニット２３が前記駆動手段により移動されると、前記光源から原稿載置面２２Ａに載置された原稿に向けて照射される光が前記副走査方向に走査される。前記受光部は、前記発光部から出射されて原稿で反射された光を受光して受光量に応じた電気信号を出力する。画像読取部２は、前記受光部から出力される前記電気信号を不図示のアナログフロントエンド回路でデジタル信号に変換して、原稿の画像データを取得する。画像読取部２で読み取られた原稿の画像データは、前記制御部に出力される。なお、画像読取部２による画像の読取方式は、密着型イメージセンサーを用いるものに限られず、ＣＣＤを用いる方式であってもよい。
【００１９】
カバー部材１は、原稿載置面２２Ａに対して開閉可能に設けられる。例えば、カバー部材１は、樹脂によって形成された平板状の部材である。カバー部材１は、図２に示すように、原稿載置面２２Ａとの対向面１１Ａの周縁部に立設された側壁１１Ｂを有する。カバー部材１の後方側の側壁１１Ｂにおいて開口部２１１に対応する位置には、切欠き部１１Ｃが設けられている。カバー部材１は、切欠き部１１Ｃに取り付けられる前記ヒンジによって回動可能に支持される。また、カバー部材１の前方側の側壁１１Ｂの中央部には、取っ手部１１Ｄが設けられている。ユーザーは、取っ手部１１Ｄを操作して、カバー部材１を原稿載置面２２Ａに対して開閉させることが可能である。
【００２０】
カバー部材１の対向面１１Ａ側には、図２に示すように弾性部材１２が設けられる。弾性部材１２は、カバー部材１が原稿載置面２２Ａに対して閉じられた閉姿勢の場合に、原稿載置面２２Ａに載置される原稿と接触するシート状の部材である。例えば、弾性部材１２は、原稿との接触面１２Ｃにコート紙が貼付されたスポンジシートである。弾性部材１２は、原稿載置面２２Ａの形状に対応して矩形状であって、原稿載置面２２Ａと略同一の面積を有し、予め定められた幅の厚みＬ２（図４参照）を有する。弾性部材１２は、カバー部材１の対向面１１Ａ側において、カバー部材１が前記閉姿勢の場合に原稿載置面２２Ａと対向する位置に配置される。カバー部材１が原稿載置面２２Ａに対して閉じられると、原稿載置面２２Ａに載置された原稿が弾性部材１２によって押圧されて、原稿載置面２２Ａに密着される。
【００２１】
ところで、画像形成装置１０では、弾性部材１２の後述する固定部１３との接触面１２Ｂ（図４参照）が対向面１１Ａに向けて湾曲している。具体的に、弾性部材１２は、コート紙が貼付された接触面１２Ｃ側を内側にして巻かれたロール状のスポンジシートがカットされて形成される。そのため、前記コート紙にロール時における湾曲形状のくせが残り、弾性部材１２の接触面１２Ｃに反りが生じる。例えば、画像形成装置１０では、弾性部材１２がそのカット位置された両端部をカバー部材１の左右方向に離間させて配置されており、接触面１２Ｃが左右方向上で勾配を変化させて湾曲している。
【００２２】
ここで、従来の画像形成装置において、弾性部材１２の接触面１２Ｃが対向面１１Ａに向けて湾曲している場合には、弾性部材１２により押圧される原稿において原稿載置面２２Ａに密着されない箇所が生じ、前記箇所で原稿が原稿載置面２２Ａから浮き上がって読取画像が不鮮明となることがある。これに対し、本発明の第１実施形態に係る画像形成装置１０では、以下に説明するように、原稿載置面２２Ａに載置された原稿から読み取られる画像の品質を向上させることが可能である。
【００２３】
具体的に、カバー部材１は、図３及び図４に示すように、固定部１３、及び複数の突起部１４を備える。ここで、図３は、第１実施形態に係る画像形成装置１０のカバー部材１の対向面１１Ａ側の構成を示す斜視図である。また、図４は、図３におけるＩＶ−ＩＶ矢視断面図であって、前記閉姿勢の場合におけるカバー部材１が示されている。なお、図３では、弾性部材１２が取り外された状態のカバー部材１が示されている。また、図３における一点鎖線は、固定部１３で囲まれた領域Ｘ１、及び突出部１４の配置領域Ｘ２を示す境界線である。また、図４においては、カバー部材１の断面及びコンタクトガラス２２の断面にハッチングを施しているが、説明の便宜上、弾性部材１２の断面にはハッチングを施していない。
【００２４】
固定部１３は、カバー部材１の原稿載置面２２Ａとの対向面１１Ａに突設され、弾性部材１２をカバー部材１の対向面１１Ａ側に固定する。具体的に、固定部１３は、図３に示すように、対向面１１Ａにおいて原稿載置面２２Ａの四隅に対応する位置各々から突設された四本の柱体である。弾性部材１２は、図２に示す角部１２Ａ各々が固定部１３の突出端１３Ａに固定される。
【００２５】
なお、固定部１３は、対向面１１Ａにおいて原稿載置面２２Ａの前後方向又は左右方向の両端部に対応する位置各々から突設された複数の壁体であってもよい。また、固定部１３は、対向面１１Ａにおいて原稿載置面２２Ａの周縁部に対応して設けられた一又は複数の壁体であってもよい。
【００２６】
固定部１３は、カバー部材１が前記閉姿勢の場合に、カバー部材１の自重によって弾性部材１２を原稿載置面２２Ａに向けて押圧する。弾性部材１２は、固定部１３に押圧されることで、図４に示すように、突出端１３Ａとの接触箇所が弾性変形する。
【００２７】
複数の突起部１４は、対向面１１Ａに突設され、カバー部材１が前記閉姿勢の場合に突出端１４Ａが弾性部材１２の固定部１３との接触面１２Ｂに接触する。例えば、突起部１４は、図３に示すように、対向面１１Ａにおいて円筒状に立設された柱体である。
【００２８】
具体的に、突起部１４の突出方向の長さは、図４に示すように、カバー部材１が前記閉姿勢の場合における対向面１１Ａと原稿載置面２２Ａとの間の離間距離Ｌ１から対向面１１Ａと原稿載置面２２Ａとの間に介在する弾性部材１２の厚みＬ２を差し引いた長さを超えている。これにより、複数の突起部１４は、カバー部材１が前記閉姿勢の場合に、カバー部材１の自重によって弾性部材１２を原稿載置面２２Ａに向けて押圧することが可能である。なお、弾性部材１２は、突起部１４に押圧されることで、図４に示すように、突出端１４Ａとの接触箇所が弾性変形する。
【００２９】
例えば、画像形成装置１０では、突起部１４の突出方向の長さは、固定部１３の突出方向における長さを超えている。これにより、カバー部材１の対向面１１Ａがカバー部材１の成形時において生じる反りやヒケなどによって起伏し、対向面１１Ａにおいて突起部１４の配置位置が固定部１３の配置位置よりも原稿載置面２２Ａに対して浮き上がることがあっても、突出部１４の突出端１４Ａを弾性部材１２に接触させることが可能である。また、弾性部材１２は、突出端１４Ａとの接触箇所が弾性変形するため、対向面１１Ａの起伏により複数の突起部１４各々の突出端１４Ａの位置が突出方向にバラついていても、弾性部材１２の接触面１２Ｃにおける平面性は確保される。なお、突起部１４の突出方向の長さは、固定部１３の突出方向における長さと同じであってもよい。
【００３０】
また、複数の突起部１４は、対向面１１Ａにおける固定部１３で囲まれた領域Ｘ１内で突設される。なお、領域Ｘ１は、図３に示すように固定部１３を含む領域である。
【００３１】
具体的に、画像形成装置１０において、突起部１４は、対向面１１Ａにおける接触面１２Ｂとの間の距離が予め定められた閾値以下の領域内に設けられている。例えば、前記閾値は、個々の弾性部材１２各々の接触面１２Ｂの湾曲形状の計測結果に基づいて設定される。例えば、画像形成装置１０では、図３に示すように、領域Ｘ１から左右方向における両端部を含む領域各々が除外された配置領域Ｘ２が前記閾値以下の領域として画定されており、複数の突起部１４は配置領域Ｘ２内に均等な分布密度で配置されている。これにより、接触面１２Ｃが原稿載置面２２Ａに対して浮き上がる箇所に対応して突起部１４を配置することが可能となり、接触面１２Ｃの平面性を確保しつつ、突起部１４の配置数を低減することが可能である。
【００３２】
なお、画像形成装置１０において、弾性部材１２がそのカット位置された両端部をカバー部材１の前後方向に離間させて配置されており、接触面１２Ｃが前後方向上で勾配を変化させて湾曲していてもよい。この場合、領域Ｘ１から前後方向における両端部を含む領域各々が除外された領域が前記閾値以下の領域として画定される。
【００３３】
また、画像形成装置１０において、弾性部材１２の接触面１２Ｃがカバー部材１の対向面１１Ａに向けて湾曲しておらず、複数の突起部１４が領域Ｘ１内において均等な分布密度で配置されていてもよい。
【００３４】
また、図５に示すように、複数の突起部１４は、対向面１１Ａにおいてカバー部材１が前記閉姿勢の場合に原稿載置面２２Ａに載置される予め定められたサイズの原稿と対向する特定領域Ｘ５内では予め定められた第１密度で配置され、特定領域Ｘ５外では前記第１密度より低い第２密度で配置されていてもよい。
【００３５】
例えば、特定領域Ｘ５は、原稿載置面２２Ａにおいて長手方向が左右方向に沿った姿勢で載置基準位置２２Ｂに合わせて載置されるＡ４サイズの原稿と対向する領域である。また、前記第１密度及び前記第２密度は、弾性部材１２の湾曲形状、原稿載置面２２Ａに載置された原稿から読み取られる画像の品質の低下箇所及び低下度合い等に基づいて設定される。なお、特定領域Ｘ５は、原稿載置面２２Ａに載置される頻度の高い原稿のサイズに基づいて設定されることが望ましい。これにより、原稿載置面２２Ａに載置される原稿のうち、予め定められたサイズ以下の原稿については、原稿載置面２２との間の密着度をより向上させることが可能である。
【００３６】
また、複数の突起部１４は、対向面１１Ａにおいてカバー部材１が前記閉姿勢の場合に原稿載置面２２Ａに載置される予め定められたサイズの原稿と対向する特定領域Ｘ５内では予め定められた第１距離だけ突出して配置され、特定領域Ｘ５外では前記第１距離より短い第２距離だけ突出して配置されていてもよい。
【００３７】
例えば、前記第２距離は、固定部１３の突出方向における長さと同じである。この場合にも、原稿載置面２２Ａに載置される原稿のうち、予め定められたサイズ以下の原稿については、原稿載置面２２との間の密着度をより向上させることが可能である。
【００３８】
このように、画像形成装置１０では、カバー部材１の対向面１１Ａにおける固定部１３で囲まれた領域Ｘ１内に、複数の突起部１４が設けられている。これにより、カバー部材１が前記閉姿勢の場合に弾性部材１２が突起部１４に押圧されて、原稿載置面２２Ａに対して密着される。従って、原稿載置面２２Ａに載置された原稿から読み取られる画像の品質を向上させることが可能である。
【００３９】
［第２実施形態］
以下、図６を参照しつつ、本発明の第２実施形態に係る画像形成装置１０について説明する。第２実施形態では、図３で示されたカバー部材１が前記閉姿勢の場合に対向面１１Ａが原稿載置面２２Ａに対して起伏している点及び突起部１４の突出方向の長さが、前述の第１実施形態と異なる。なお、その他の部分の構成は、第２実施形態と前述の第１実施形態とで共通である。そのため、以下の説明においては、第２実施形態のうち、前述の第１実施形態と共通する構成については第１実施形態の構成と同じ符号を付し示すことによりその詳細な説明を省略する。
【００４０】
ここで、図６は第２実施形態に係る画像形成装置１０のカバー部１の、図３に示すＩＶ−ＩＶの位置での断面模式図であって、カバー部材１が原稿載置面２２Ａに対して開かれた開姿勢の場合におけるカバー部材１が示されている。なお、図６では、弾性部材１２が取り外された状態のカバー部材１が示されている。また、図６における一点鎖線は、カバー部材１が前記閉姿勢の場合に原稿載置面２２Ａと平行な基準面Ｘ３及び複数の突起部１４の突出端１４Ａ各々を含む平面Ｘ４を示すものである。また、図６では、説明の便宜上、カバー部材１の断面にハッチングを施していない。
【００４１】
具体的に、第２実施形態に係る画像形成装置１０では、図６に示すように、カバー部１の対向面１１Ａが、前記閉姿勢の場合に原稿載置面２２Ａと平行な基準面Ｘ３に対して起伏している。例えば、カバー部材１の対向面１１Ａは、成形過程において生じる反りによって、左右方向上で勾配を変化させて弾性部材１２側に向けて湾曲している。なお、カバー部材１の対向面１１Ａは、前後方向上で勾配を変化させて湾曲していてもよい。また、カバー部材１の対向面１１Ａは、弾性部材１２側とは反対側に向けて湾曲していてもよい。また、カバー部材１の対向面１１Ａは、成形過程において生じるヒケなどによって、基準面Ｘ３に対して起伏していてもよい。
【００４２】
ここで、第２実施形態に係る画像形成装置１０では、複数の突起部１４各々における突出方向の長さは、各々の突出端１４Ａを含む平面Ｘ４が基準面Ｘ３と平行となるように定められている。例えば、図６に示すように、対向面１１Ａにおける湾曲頂点及びその左右方向における両脇に等間隔で突起部１４が配置される構成では、複数の突起部１４各々における突出方向の長さは以下のように定められる。即ち、左右両脇の突起部１４の突出方向における長さは、中央の突起部１４の突出方向における長さより、対向面１１Ａの中央の突起部１４の配置位置における基準面Ｘ３との間の離間距離Ｌ３と対向面１１Ａの左右両脇の突起部１４の配置位置における基準面Ｘ３との間の離間距離Ｌ４との差だけ長くされる。
【００４３】
例えば、複数の突起部１４各々における突出方向の長さは、個々のカバー部材１各々の対向面１１Ａの湾曲形状の計測結果に基づいて設定される。これにより、カバー部材１の対向面１１Ａが成形時において生じる反りやヒケなどによって起伏しており、対向面１１Ａにおいて突起部１４の配置位置が固定部１３の配置位置よりも原稿載置面２２Ａに対して浮き上がっている場合であっても、突出部１４の突出端１４Ａを弾性部材１２に接触させることが可能である。
【００４４】
なお、突起部１４は、図７に示すように、対向面１１Ａに立設された円筒部１４Ｂ及び円筒部１４Ｂの周囲に形成されたリブ１４Ｃを有するものであってもよい。リブ１４Ｃにより、円筒部１４Ｂの成形時における形状変化が抑制される。
【符号の説明】
【００４５】
１  ：カバー部材
２  ：画像読取部
３  ：画像形成部
４  ：給紙部
５  ：操作表示部
１０：画像形成装置
１１Ａ：対向面
１２：弾性部材
１３：固定部
１４：突起部
２２Ａ：原稿載置面
２３：読取ユニット
【図１】
2017034393.tif 000003
【図２】
2017034393.tif 000004
【図３】
2017034393.tif 000005
【図４】
2017034393.tif 000006
【図５】
2017034393.tif 000007
【図６】
2017034393.tif 000008
【図７】
2017034393.tif 000009